(57)【要約】  【課題】  抗ガン剤施用支援システムにおいて、病院スタッフの業務を省略（簡略）し、複数の施用ベッドを能率よく運用し、病院スタッフの作業負荷を大幅に軽減すること、携帯端未機を用いて、ガン患者、ガン患者に施用する抗ガン剤、抗ガン剤を含む複数種の薬剤を調製する薬剤調製手順の情報等を表示可能にすること、等である。  【解決手段】  複数のガン患者に抗ガン剤を施用する抗ガン剤施用情報と施用予定日情報とを記憶している施用用コンピュータ２、複数のガン患者に抗ガン剤を夫々施用可能な複数の施用ベッド４０等を有し、施用用コンピュータ２は、ガン患者の受け付け登録が行われた際に、予約情報に基づいてそのガン患者に抗ガン剤を施用する施用ベッド４０を指示する情報をディスプレイ２２に出力させる。【選択図】  図１
2005032070.tif 000002
【特許請求の範囲】
【請求項１】
病院において複数のガン患者に対して抗ガン剤を施用するのを支援する抗ガン剤施用支援システムにおいて、
複数のガン患者に夫々抗ガン剤を施用する施用予約情報を格納した施用予約情報記憶手段と、
ガン患者が施用に来た際の受け付け登録と施用予約情報記憶手段の記憶情報に基づいて、前記ガン患者を特定すると共に予約した施用予定日をチェックする外来チェック手段と、
複数のガン患者に抗ガン剤を夫々施用可能な複数の施用ベッドと、
前記外来チェック手段によりガン患者の外来が確認された場合に、そのガン患者に抗ガン剤を施用する施用ベッドを自動的に指示する施用ベッド指示手段と、
を備えたことを特徴とする抗ガン剤施用支援システム。
【請求項２】
前記施用ベッド指示手段は、前記外来チェック手段により外来が確認されたガン患者に抗ガン剤を施用する施用時刻を自動的に指示することを特徴とする請求項１に記載の抗ガン剤施用支援システム。
【請求項３】
前記外来チェック手段によりガン患者がその施用予定日に外来したことが確認された場合に、そのガン患者に対して施用する抗ガン剤を含む薬剤を調製する作業許可を調剤担当部署に自動的に通知する通知手段を設けたことを特徴とする請求項１又は２に記載の抗ガン剤施用支援システム。
【請求項４】
病院において複数のガン患者に対して抗ガン剤を施用するのを支援する抗ガン剤施用支援システムにおいて、
複数のガン患者に抗ガン剤を施用する抗ガン剤施用情報と施用予定日情報とを記憶しているか又は外部のホストコンピュータから受信可能な施用用コンピュータと、
前記施用用コンピュータに接続され、ガン患者が施用に来た際の受け付け登録を電子的に行う電子的受付け手段と、
複数のガン患者に抗ガン剤を夫々施用可能な複数の施用ベッドと、
前記施用用コンピュータに接続されて制御される複数のディスプレイ手段であって複数の施用ベッドの付近に装備された複数のディスプレイ手段とを備え、
前記電子的受付け手段の付近に受付出力手段を設け、
前記施用用コンピュータは、電子的受付け手段によりガン患者の受け付け登録が行われた際に、そのガン患者に抗ガン剤を施用する施用ベッドを指示する情報を受付出力手段に出力させることを特徴とする抗ガン剤施用支援システム。
【請求項５】
看護師が携帯して施用用コンピュータにデータ送受信可能に接続される表示手段を有する看護師用携帯端末機を設け、
前記看護師用携帯端末機は、施用用コンピュータから受信した、所定のガン患者及び／又はそのガン患者に施用予定の抗ガン剤に関する情報を表示手段に表示させることを特徴とする請求項４に記載の抗ガン剤施用支援システム。
【請求項６】
薬剤師が携帯して施用用コンピュータにデータ送受信可能に接続される表示手段を有する薬剤師用携帯端末機を設け、
前記薬剤師用携帯端末機は、施用用コンピュータから受信した、所定のガン患者に施用予定の抗ガン剤を含む複数種の薬剤を調製する薬剤調製手順に関する情報を表示手段に表示させることを特徴とする請求項４に記載の抗ガン剤施用支援システム。
【請求項７】
前記ガン患者が携帯している患者特定手段の患者情報と、そのガン患者に施用予定の調製済み抗ガン剤の容器に設けた抗ガン剤特定手段の抗ガン剤情報とを読取る読取り装置を設け、
前記施用用コンピュータに、前記読取り装置により読取られた患者情報と抗ガン剤情報を用いて、前記ガン患者に対して施用する調製済み抗ガン剤が施用予定の抗ガン剤であるか否かチェックする施用チェック手段を設けたことを特徴とする請求項４〜６の何れかに記載の抗ガン剤施用支援システム。
【請求項８】
前記読取り装置により、抗ガン剤の施用作業を行う施用作業者が携帯している作業者特定手段の施用作業者情報を読取り可能に構成し、
前記施用用コンピュータは、読取り装置により読取られた施用作業者を前記抗ガン剤の施用に関する情報に対応付けて記録することを特徴とする請求項７に記載の抗ガン剤施用支援システム。
【請求項９】
前記読取り装置を看護師用携帯端末機に設けたことを特徴とする請求項７又は８に記載の抗ガン剤施用支援システム。
【請求項１０】
前記施用用コンピュータに、複数種の抗ガン剤の施用に関する情報を記憶させた抗ガン剤施用情報記憶手段を設け、
前記看護師用携帯端末機は、施用用コンピュータから受信した所定のガン患者に施用予定の抗ガン剤の施用情報を表示手段に表示させることを特徴とする請求項９に記載の抗ガン剤施用支援システム。
【発明の詳細な説明】
【技術分野】
【０００１】
本発明は、病院において複数のガン患者に対して抗ガン剤を施用するのを支援する抗ガン剤施用支援システムに関する。
【背景技術】
【０００２】
一般に、ガン治療可能な病院においては、複数のガン患者が診察や治療を受けるために外来（来院）し、抗ガン剤を用いたガン化学療法を実施するガン患者に対しては、抗ガン剤を施用する施用予定日を予約しておいてその施用予定日に外来してもらい、そこで、医師がガン患者を診察し検査結果等をみて問題なければ、そのガン患者に抗ガン剤を予定通り施用（投与）する。診察の結果問題があれば、今回の抗ガン剤の施用を中止したり、抗ガン剤の施用量を変更したり、別途併用剤（機能抑制剤等）を施用する場合もある。
【０００３】
複数種の抗ガン剤の多くは点滴によりガン患者に施用されるが、この場合、外来のガン患者は施用ベッドに案内され、その施用ベッド上で数時間かけてガン患者に施用される。通常、抗ガンを注射器を用いてガン患者に施用する場合も施用ベッドを使用する。外来のガン患者が多い病院では、ガン患者に抗ガン剤を施用する施用ベッド数が不足しているところもあり、外来専用に複数の施用ベッドを設置した抗ガン剤施用ルームを設けたところもある。
【０００４】
通常、ガン患者が外来した場合、医師はガン患者を診察してから、そのガン患者に対して適用したガン化学療法に基づいて、本日施用する１又は複数種の抗ガン剤を含む薬剤を処方し、その処方情報に基づいて、薬剤師が複数種の薬剤を取り揃えると共に、これらの薬剤を調製（計量、溶解、希釈、混合、等々）して準備し、看護師が、この調製済み抗ガン剤を、施用対象者となるガン患者が使用する施用ベッドまで持ち運んでガン患者に施用する。
【０００５】
ところで、外来のガン患者が多い病院では、複数のガン患者の抗ガン剤の施用日時が重なって、施用ベッド数が足りなくなり、施用ベッドが空くまで長く待たされ、抗ガン剤を予定通り施用できないガン患者がでる虞もある。そこで、前述のように、外来専用に複数の施用ベッドを設置した抗ガン剤施用ルームを設けることが考えられるが、これら複数の施用ベッドを能率よく運用しなければ、ガン患者、医師、薬剤師、看護師等の病院スタッフの負担を軽減することは難しい。
【０００６】
ここで、特許文献１には、患者の予約要求時間が予約情報ファイルに既に登録された該当患者の他の診療科の予約時間に重複するか否かチェックする他科目重複チェック手段、患者の予約要求時間が予約情報ファイルに既に登録された該当診療科の他の患者の予約時間と重複するか否かチェックする他患者重複チェック手段を設け、同一時間に同一患者が複数の診療科で予約されたり、同一診療科に複数の患者が同一時間で予約されるのを防止するシステムが開示されている。
【０００７】
ところで、近年、患者数が多い病院の多くは、複数の患者情報や各患者の検査情報や処方情報（薬歴情報）等をホストコンピュータのデータベースに記憶させて管理し、このホストコンピュータに接続される端未コンピュータを用いて、データベースから必要な情報を読出して出力可能にしている。また、薬剤師が携帯端未機を用いて、ホストコンピュータのデータベースから必要な患者の処方情報を読出し、その処方情報を携帯端未機のディスプレイに表示させて、服薬指導等に利用できる技術も実用化されつつある。
【０００８】
尚、特許文献２には、医療管理コンピュータのデータベースに、基本データ（患者ＩＤ、バーコードデータ、患者名等）、医療指示データ（問診、投薬、検査結果等）、実施記録データ（問診記録、投薬記録、検査結果記録等）が記憶され、医療用携帯端末のバーコードで患者ベッドのバーコードを読取ることにより、その患者の基本データや医療指示データや実施記録データを医療管理コンピュータから医療用携帯端末にダウンロードして、医療用携帯端末のディスプレイに表示させる技術が開示されている。
【０００９】
【特許文献１】特開平１０−１６２０６４号公報
【特許文献２】特開２００３−９９５２９号公報
【発明の開示】
【発明が解決しようとする課題】
【００１０】
従来、ガン治療可能な病院において、ガン患者に抗ガン剤を施用する場合、ガン患者が使用する施用ベッドの確保、その施用ベッドへのガン患者の案内指示等の病院スタッフの業務が必要であり、この業務はガン患者の数が多い程大変になる。外来専用に複数の施用ベッドを設置した抗ガン剤施用ルームを設けた場合、これら複数の施用ベッドを能率よく運用できない虞があり、複数のガン患者への抗ガン剤の施用作業が煩雑になり、各ガン患者に抗ガン剤を予定通り間違いなく施用することも大変になる。結局、病院スタッフの作業負荷を軽減することは難しく、また、ガン患者にとっても、施用ベッドが空くまで長く待たされる虞があり、負担を軽減できない虞がある。
【００１１】
一方、薬剤担当部署では、予め、各ガン患者に予定の処方情報に基づいて、抗ガン剤を含む薬剤の調製を行っておくことが可能であるが、抗ガン剤の施用を中止したり、抗ガン剤の施用量を変更する等の予定変更が生じた場合、調製済み抗ガン剤が無駄になったり、調製済み抗ガン剤を長期間保管しなければならない事態も起こり望ましくない。そこで、各ガン患者に施用予定日に抗ガン剤を本当に施用することが確認された後に薬剤調製作業を行えばよいが、この確認を確実に行おうとするあまり、各ガン患者に施用する抗ガン剤を含む薬剤の調製・準備が遅くなり、予定時刻通りにガン患者に施用することができない虞もある。
【００１２】
特許文献１の予約システムでは、同一時間に同一患者が複数の診療科で予約されたり、同一診療科に複数の患者が同一時間で予約されるのを防止するシステムであり、上記のような、複数のガン患者に抗ガン剤を夫々施用する複数の施用ベッドを設置した場合の課題を解決できるものではない。
【００１３】
本発明の目的は、抗ガン剤施用支援システムにおいて、病院スタッフの業務を省略（簡略）し、複数の施用ベッドを能率よく運用し、各ガン患者に予定通りに抗ガン剤を間違いなく確実に施用可能にして、病院スタッフの作業負荷を大幅に軽減すること、ガン患者への抗ガン剤の施用予定の変更が生じた場合でも、調製済み抗ガン剤が無駄になったり、調製済み抗ガン剤を長期間保管すること等を極力防止できるように対処可能にすること、携帯端未機を用いて、ガン患者、ガン患者に施用する抗ガン剤、抗ガン剤を含む複数種の薬剤を調製する薬剤調製手順の情報等を表示可能にすること、等である。
【課題を解決するための手段】
【００１４】
請求項１の抗ガン剤施用支援システムは、病院において複数のガン患者に対して抗ガン剤を施用するのを支援する抗ガン剤施用支援システムにおいて、複数のガン患者に夫々抗ガン剤を施用する施用予約情報を格納した施用予約情報記憶手段と、ガン患者が施用に来た際の受け付け登録と施用予約情報記憶手段の記憶情報に基づいて、前記ガン患者を特定すると共に予約した施用予定日をチェックする外来チェック手段と、複数のガン患者に抗ガン剤を夫々施用可能な複数の施用ベッドと、前記外来チェック手段によりガン患者の外来が確認された場合に、そのガン患者に抗ガン剤を施用する施用ベッドを自動的に指示する施用ベッド指示手段とを備えたものである。
【００１５】
この抗ガン剤施用支援システムでは、施用予約情報記憶手段に、複数のガン患者に夫々抗ガン剤を施用する施用予約情報が格納されており、外来チェック手段により、ガン患者が施用に来た際の受け付け登録と施用予約情報記憶手段の記憶情報に基づいて、ガン患者が特定されると共に予約した施用予定日がチェックされる。そして、外来チェック手段によりガン患者の外来が（例えば、予約した施用予定日に）確認された場合に、施用ベッド指示手段により、そのガン患者に抗ガン剤を施用する施用ベッド（例えば、施用ベッド番号）が指示される。複数の施用ベッドを設置した施用ルームを複数設けた場合、施用する施用ルーム（例えば、施用ルーム番号）と共に施用ベッドを指示することが望ましい。
【００１６】
各ガン患者が施用に来た際に受け付け登録を行うことにより、自動的に、そのガン患者を特定すると共に予約した施用予定日をチェックして、そのガン患者に抗ガン剤を施用する施用ベッドを指示することができる。ガン患者は指示された施用ベッドで待機し、病院側は、前記ガン患者の外来を確認し、そのガン患者に指示した施用ベッドを知ることができるため、その施用ベッドを使用するガン患者に予定の抗ガン剤を確実に持ち運んで施用することができる。
【００１７】
請求項２の抗ガン剤施用支援システムは、請求項１の発明において、前記施用ベッド指示手段は、前記外来チェック手段により外来が確認されたガン患者に抗ガン剤を施用する施用時刻を自動的に指示することを特徴とするものである。ここで、前もって施用時刻を予約している場合、その予約施用時刻までにガン患者の外来が確認された場合には、その予約施用時刻を指示し、また、予約施用時刻以後にガン患者の外来が確認された場合、或いは、前もって施用時刻を予約していない場合には、ガン患者の外来が確認されたときに、自動的に、施用予約情報に基づいて空いている施用ベッドと施用時刻を予約し、その施用ベッドと施用時刻を指示するようにしてもよい。
【００１８】
外来チェック手段によりガン患者の外来が確認された場合、施用ベッド指示手段により、前記ガン患者に抗ガン剤を施用する施用ベッドと共に、抗ガン剤を施用する施用時刻が自動的に指示される。ガン患者は指示された施用ベッドで指示された施用時刻に待機し、病院側は、前記ガン患者に指示した施用ベッドと施用時刻を知ることができるため、その施用ベッドを使用するガン患者に予定の抗ガン剤を予定時刻に確実に持ち運んで施用することができる。
【００１９】
請求項３の抗ガン剤施用支援システムは、請求項１又は２の発明において、前記外来チェック手段によりガン患者がその施用予定日に外来したことが確認された場合に、そのガン患者に対して施用する抗ガン剤を含む薬剤を調製する作業許可を調剤担当部署に自動的に通知する通知手段を設けたことを特徴とするものである。ここで、ガン患者がその施用予定日に外来したことが確認されても、例えば、施用予約時刻に遅れたりして、施用予定日に抗ガン剤を施用することが未確定になった場合には、作業許可を調剤担当部署に通知せず、新たに施用時刻を予約することができて、施用予定日に抗ガン剤を施用することが確定した場合に、作業許可を調剤担当部署に通知するようにしてもよい。
【００２０】
通知手段による通知後、迅速に、前記ガン患者に施用する抗ガン剤を含む薬剤の調製を行って準備して、その抗ガン剤を予定通りにガン患者に施用することができ、また、抗ガン剤の施用を中止したり、抗ガン剤の施用量を変更したり、別途併用剤（機能抑制剤等）を施用する等の予定変更が生じた場合、前記ガン患者が外来する前に既に調製済み抗ガン剤を準備している場合には、その調製済み抗ガン剤が無駄になったり、調製済み抗ガン剤を長期間保管しなければならないが、調剤担当部署では、ガン患者がその施用予定日に外来したことが確認された場合に、そのガン患者に対して施用する薬剤を調製する作業許可を受けて、調製作業を行うため、調製済み抗ガン剤が無駄になったり、調製済み抗ガン剤を長期間保管すること等を極力防止できるように対処可能になる。
【００２１】
請求項４の抗ガン剤施用支援システムは、病院において複数のガン患者に対して抗ガン剤を施用するのを支援する抗ガン剤施用支援システムにおいて、複数のガン患者に抗ガン剤を施用する抗ガン剤施用情報と施用予定日情報とを記憶しているか又は外部のホストコンピュータから受信可能な施用用コンピュータと、前記施用用コンピュータに接続され、ガン患者が施用に来た際の受け付け登録を電子的に行う電子的受付け手段と、複数のガン患者に抗ガン剤を夫々施用可能な複数の施用ベッドと、前記施用用コンピュータに接続されて制御される複数のディスプレイ手段であって複数の施用ベッドの付近に装備された複数のディスプレイ手段とを備え、前記電子的受付け手段の付近に受付出力手段を設け、前記施用用コンピュータは、電子的受付け手段によりガン患者の受け付け登録が行われた際に、そのガン患者に抗ガン剤を施用する施用ベッドを指示する情報を受付出力手段に出力させることを特徴とするものである。
【００２２】
この抗ガン剤施用支援システムでは、施用用コンピュータに、複数のガン患者に抗ガン剤を施用する抗ガン剤施用情報と施用予定日情報とが記憶され、又は、これらの情報が外部のホストコンピュータから受信可能である。施用用コンピュータに電子的受付け手段が接続され、この電子的受付け手段によりガン患者が施用に来た際の受け付け登録が電子的に行われる。施用用コンピュータにより、電子的受付け手段で受け付け登録されたガン患者が特定され、そのガン患者に施用する抗ガン剤の情報や、抗ガン剤を施用する施用予定日をチェックすることができる。施用用コンピュータにより前記ガン患者が施用する施用ベッドのディスプレイ手段を制御し、そのディスプレイ手段にガン患者や施用作業者に対して抗ガン剤の施用に関する情報等を表示させて提供することができる。
【００２３】
電子的受付け手段によりガン患者の受け付け登録が行われた際に、施用用コンピュータにより、そのガン患者に抗ガン剤を施用する施用ベッドを指示する情報を受付出力手段に出力させる。ここで、施用ベッドと共に施用日時を指示する情報を受付出力手段に出力させることが望ましい。つまり、ガン患者は指示された施用ベッドで待機し、病院側は、前記ガン患者の外来を確認し、そのガン患者に指示した施用ベッドを知ることができるため、その施用ベッドのガン患者に予定通りに抗ガン剤を確実に持ち運んで施用することができる。
【００２４】
請求項５の抗ガン剤施用支援システムは、請求項４の発明において、看護師が携帯して施用用コンピュータにデータ送受信可能に接続される表示手段を有する看護師用携帯端末機を設け、前記看護師用携帯端末機は、施用用コンピュータから受信した、所定のガン患者及び／又はそのガン患者に施用予定の抗ガン剤に関する情報を表示手段に表示させることを特徴とするものである。
【００２５】
ここで、ガン患者に関する情報は、患者ＩＤ、氏名、性別、年齢、病名等の情報であり、施用用コンピュータには、複数のガン患者に関する情報を記憶させたファイルを設け、このファイルから所定のガン患者に関する情報が読出されて看護師用携帯端末機にダウンロードされる。また、ガン患者に施用予定の抗ガン剤に関する情報は、実施に供するガン化学療法（処方情報を含む）の情報、服薬指導の情報等であり、施用用コンピュータには、複数のガン化学療法の情報を記憶させた実施ガン化学療法情報ファイル、複数の服薬指導の情報を記憶させた服薬指導マスタファイルを設け、これらのファイルから所定の抗ガン剤に関する情報が読出されて看護師用携帯端末機にダウンロードされる。
【００２６】
また、看護師用携帯端末機に入力操作部を介してガン患者のＩＤ等、ガン患者を特定する情報を入力したり、看護師用携帯端末機に読取り装置を設け、この読取り装置により、ガン患者が携帯している携帯品のバーコードや携帯品であるＩＣカードの情報等、ガン患者を特定する情報を読取ることにより、ガン患者を指定し、そのガン患者に関する情報やガン患者に施用予定の抗ガン剤に関する情報を、施用用コンピュータからダウンロードするように構成できる。
【００２７】
この抗ガン剤施用支援システムでは、施用用コンピュータは看護師用携帯端末機に所定のガン患者及び／又はそのガン患者に施用予定の抗ガン剤に関する情報を看護師用携帯端未機に送信し、看護師用携帯端末機は施用用コンピュータから受信した前記情報を表示手段に表示させことができるため、結局、看護師は所定のガン患者及び／又はそのガン患者に施用予定の抗ガン剤に関する情報を場所を問わず容易に入手して参照することができ、これらの情報に基づいて、適切なガン患者への対応、ガン患者に抗ガン剤を施用する作業等を行うことができる。
【００２８】
請求項６抗ガン剤施用支援システムは、請求項４の発明において、薬剤師が携帯して施用用コンピュータにデータ送受信可能に接続される表示手段を有する薬剤師用携帯端末機を設け、前記薬剤師用携帯端末機は、施用用コンピュータから受信した、所定のガン患者に施用予定の抗ガン剤を含む複数種の薬剤を調製する薬剤調製手順に関する情報を表示手段に表示させることを特徴とするものである。ここで、施用用コンピュータには、複数の薬剤調製手順に関する情報を記憶させた薬剤調製手順情報ファイルを設け、この薬剤調製手順情報ファイルから所定の薬剤調製手順の情報が読出されて薬剤師用携帯端末機にダウンロードされる。
【００２９】
この抗ガン剤施用支援システムでは、施用用コンピュータは薬剤師用携帯端末機に所定のガン患者に施用予定の抗ガン剤を含む複数種の薬剤を調製する薬剤調製手順に関する情報を薬剤師用携帯端未機に送信し、薬剤師用携帯端末機は施用用コンピュータから受信した前記情報を表示手段に表示させことができるため、結局、薬剤師は所定の薬剤調製手順に関する情報を場所を問わず容易に入手して参照することができ、これらの情報に基づいて、適切な薬剤調製手順で抗ガン剤を含む複数種の薬剤を調製することができる。
【００３０】
請求項７の抗ガン剤施用支援システムは、請求項４〜６の何れかの発明において、前記ガン患者が携帯している患者特定手段の患者情報と、そのガン患者に施用予定の調製済み抗ガン剤の容器に設けた抗ガン剤特定手段の抗ガン剤情報とを読取る読取り装置を設け、前記施用用コンピュータに、前記読取り装置により読取られた患者情報と抗ガン剤情報を用いて、前記ガン患者に対して施用する調製済み抗ガン剤が施用予定の抗ガン剤であるか否かチェックする施用チェック手段を設けたことを特徴とするものである。
【００３１】
読取り装置により、ガン患者が携帯している患者特定手段の患者情報と、そのガン患者に施用予定の調製済み抗ガン剤の容器に設けた抗ガン剤特定手段の抗ガン剤情報とが読取られ、これらの情報を用いて、施用用コンピュータの施用チェック手段により、ガン患者に対して施用する調製済み抗ガン剤が施用予定の抗ガン剤であるか否かチェックされる。
【００３２】
請求項８の抗ガン剤施用支援システムは、請求項７の発明において、前記読取り装置により、抗ガン剤の施用作業を行う施用作業者が携帯している作業者特定手段の施用作業者情報を読取り可能に構成し、前記施用用コンピュータは、読取り装置により読取られた施用作業者を前記抗ガン剤の施用に関する情報に対応付けて記録することを特徴とするものである。
【００３３】
読取り装置により、抗ガン剤の施用作業を行う施用作業者が携帯している作業者特定手段の施用作業者情報が読取られ、施用用コンピュータにより、読取り装置により読取られた施用作業者が前記抗ガン剤の施用に関する情報に対応付けて記録される。つまり、抗ガン剤を施用した施用作業者がわかり、各ガン患者に抗ガン剤を施用した施用作業者のチェックが可能になる。
【００３４】
請求項９の抗ガン剤施用支援システムは、請求項７又は８の発明において、前記読取り装置を看護師用携帯端末機に設けたことを特徴とするものである。つまり、患者特定手段の患者情報、抗ガン剤特定手段の抗ガン剤情報、作業者特定手段の施用作業者情報を、読取り装置で読取る作業を簡単化することができる。
【００３５】
請求項１０の抗ガン剤施用支援システムは、請求項９の発明において、前記施用用コンピュータに、複数種の抗ガン剤の施用に関する情報を記憶させた抗ガン剤施用情報記憶手段を設け、前記看護師用携帯端末機は、施用用コンピュータから受信した所定のガン患者に施用予定の抗ガン剤の施用情報を表示手段に表示させることを特徴とするものである。看護師用携帯端末機の表示手段に、所定のガン患者に施用予定の抗ガン剤の施用情報を表示させ、調製作業者となる看護師はその表示を見て抗ガン剤の施用を確実に行うことができる。
【発明の効果】
【００３６】
請求項１の抗ガン剤施用支援システムによれば、施用予約情報記憶手段と外来チェック手段と施用ベッド指示手段とを設けたので、ガン患者が施用に来た際に受け付け登録を行うことにより、自動的に、そのガン患者を特定すると共に予約した施用予定日をチェックし、そのガン患者に抗ガン剤を施用する施用ベッドを指示することができる。ガン患者は指示された施用ベッドで待機し、病院側は、ガン患者の外来を確認し、そのガン患者に指示した施用ベッドを知ることができるため、その施用ベッドを使用するガン患者に予定の抗ガン剤を確実に持ち運んで施用することができる。
【００３７】
つまり、各ガン患者に抗ガン剤を施用する場合、そのガン患者が使用する施用ベッドの確保、施用ベッドへのガン患者の案内等、病院側の業務を省略（簡略）することができ、しかも、複数の施用ベッドを能率よく運用することができ、各ガン患者に予定の抗ガン剤を間違いなく確実に持ち運んで施用することができるため、病院側の作業負荷を大幅に軽減でき、ガン患者にとっても、施用ベッドが空くまで長く待たされる虞も極力なくなり、負担を軽減できる。
【００３８】
請求項２の抗ガン剤施用支援システムによれば、施用ベッド指示手段は、外来チェック手段により外来が確認されたガン患者に抗ガン剤を施用する施用時刻を自動的に指示するので、ガン患者は指示された施用ベッドで指示された施用時刻に待機し、病院側は、前記ガン患者に指示した施用ベッドと施用時刻を知ることができるため、その施用ベッドのガン患者に予定の抗ガン剤を予定時刻に確実に持ち運んで施用することができ、複数の施用ベッドを能率よく使用できる。
【００３９】
請求項３の抗ガン剤施用支援システムによれば、外来チェック手段によりガン患者がその施用予定日に外来したことが確認された場合に、そのガン患者に対して施用する抗ガン剤を含む薬剤を調製する作業許可を調剤担当部署に自動的に通知する通知手段を設けたので、この通知後、迅速に、前記ガン患者に施用する抗ガン剤を含む薬剤の調製を行って準備して、その抗ガン剤を予定時間通りガン患者に施用することができ、また、抗ガン剤の施用を中止したり、抗ガン剤の施用量を変更したり、別途併用剤（機能抑制剤等）を施用する等の予定変更が生じた場合でも、調製済み抗ガン剤が無駄になったり、調製済み抗ガン剤を長期間保管すること等を極力防止できるように対処することが可能になる。
【００４０】
請求項４の抗ガン剤施用支援システムによれば、前記施用用コンピュータと電子的受付け手段と複数の施用ベッドと複数のディスプレイ手段とを設けたので、自動的に、受け付け登録されたガン患者を特定し、そのガン患者に施用する抗ガン剤の情報や、抗ガン剤を施用する施用予定日をチェックすることができ、ディスプレイ手段にガン患者や施用作業者に対して抗ガン剤の施用に関する情報等を表示させて提供することができる。従って、複数の施用ベッドを能率よく使用（運用）することができ、病院側の作業負荷を大幅に軽減し、また、ガン患者の負担も大幅に軽減することが可能になる。そして、電子的受付け手段の付近に受付出力手段を設け、施用用コンピュータは、電子的受付け手段によりガン患者の受け付け登録が行われた際に、そのガン患者に抗ガン剤を施用する施用ベッドを指示する情報を受付出力手段に出力させるので、ガン患者は指示された施用ベッドで待機しておいて、病院側は、前記ガン患者の外来を確認し、そのガン患者に指示した施用ベッドを知ることができるため、その施用ベッドのガン患者に予定の抗ガン剤を確実に持ち運んで施用することができる。
【００４１】
請求項５の抗ガン剤施用支援システムによれば、看護師が携帯して施用用コンピュータにデータ送受信可能に接続される表示手段を有する看護師用携帯端末機を設け、この看護師用携帯端末機は、施用用コンピュータから受信した、所定のガン患者及び／又はそのガン患者に施用予定の抗ガン剤に関する情報を表示手段に表示させるので、看護師は所定のガン患者及び／又はそのガン患者に施用予定の抗ガン剤に関する情報を場所を問わず容易に入手して参照することができ、これらの情報に基づいて、適切なガン患者への対応、ガン患者に抗ガン剤を施用する作業等を行うことができる。
【００４２】
請求項６抗ガン剤施用支援システムによれば、薬剤師が携帯して施用用コンピュータにデータ送受信可能に接続される表示手段を有する薬剤師用携帯端末機を設け、この薬剤師用携帯端末機は、施用用コンピュータから受信した、所定のガン患者に施用予定の抗ガン剤を含む複数種の薬剤を調製する薬剤調製手順に関する情報を表示手段に表示させるので、薬剤師は所定の薬剤調製手順に関する情報を場所を問わず容易に入手して参照することができ、これらの情報に基づいて、適切な薬剤調製手順で抗ガン剤を含む複数種の薬剤を調製することができる。
【００４３】
請求項７の抗ガン剤施用支援システムによれば、ガン患者が携帯している患者特定手段の患者情報と、そのガン患者に施用予定の調製済み抗ガン剤の容器に設けた抗ガン剤特定手段の抗ガン剤情報とを読取る読取り装置を設け、前記施用用コンピュータに、読取り装置により読取られた患者情報と抗ガン剤情報を用いて、前記ガン患者に対して施用する調製済み抗ガン剤が施用予定の抗ガン剤であるか否かチェックする施用チェック手段を設けたので、各ガン患者に施用予定の抗ガン剤を確実に施用することができる。
【００４４】
請求項８の抗ガン剤施用支援システムによれば、読取り装置により、抗ガン剤の施用作業を行う施用作業者が携帯している作業者特定手段の施用作業者情報を読取り可能に構成し、施用用コンピュータは、読取り装置により読取られた施用作業者を前記抗ガン剤の施用に関する情報に対応付けて記録するので、各ガン患者に抗ガン剤を施用した施用作業者がわかり、施用作業者のチェックが可能になる。
【００４５】
請求項９の抗ガン剤施用支援システムによれば、取り装置を看護師用携帯端末機に設けたので、患者特定手段の患者情報、抗ガン剤特定手段の抗ガン剤情報、作業者特定手段の施用作業者情報を、読取り装置で読取る作業を簡単化することができる。
【００４６】
請求項１０の抗ガン剤施用支援システムによれば、用用コンピュータに、複数種の抗ガン剤の施用に関する情報を記憶させた抗ガン剤施用情報記憶手段を設け、看護師用携帯端末機は、施用用コンピュータから受信した所定のガン患者に施用予定の抗ガン剤の施用情報を表示手段に表示させるので、調製作業者となる看護師はその表示を見て抗ガン剤の施用を確実に行うことができる。
【００４７】
請求項１１の抗ガン剤施用支援システムによれば、施用情報は、抗ガン剤の施用手順を示す手技に関する情報を含むので、施用作業者は抗ガン剤の施用手順を示す手技に関する情報を見て、抗ガン剤の施用を確実に行うことができる。
【発明を実施するための最良の形態】
【００４８】
本実施形態の抗ガン剤施用支援システムは、病院において複数のガン患者に対して抗ガン剤を施用するのを支援するシステムに、本発明を適用したものであり、複数のガン患者に夫々抗ガン剤を施用する施用予約情報を格納した施用予約情報記憶手段と、ガン患者が施用に来た際の受け付け登録と施用予約情報記憶手段の記憶情報に基づいて、前記ガン患者を特定すると共に予約した施用予定日をチェックする外来チェック手段と、複数のガン患者に抗ガン剤を夫々施用可能な複数の施用ベッドと、前記外来チェック手段によりガン患者の外来が確認された場合に、そのガン患者に抗ガン剤を施用する施用ベッドを自動的に指示する施用ベッド指示手段とを備えたものである。
【実施例】
【００４９】
図１、図２に示すように、抗ガン剤施用支援システム１は、［外来病棟］に設置された施用用コンピュータ２、［受付］に設置された受付けコンピュータ２０とカードリーダ２１とディスプレイ２２とプリンタ２３（受付出力手段に相当する）、薬剤担当部署である［薬剤部］に設置された調剤コンピュータ３０とディスプレイ３１、［抗ガン剤施用ルーム］に設置されてガン患者に抗ガン剤を夫々施用可能な複数の施用ベッド４０と複数の施用ベッド４０の付近に装備された複数のベッドコンピュータ５０（ベッドコンピュータａ、ｂ、ｃ・・・）と複数のディスプレイ５２（ディスプレイａ、ｂ、ｃ・・・）と複数のバーコードリーダ５３、複数の医師が携帯して施用用コンピュータ２にデータ送受信可能に接続される複数の医師用携帯端未機６０Ａ、複数の薬剤師が携帯して施用用コンピュータ２にデータ送受信可能に接続される複数の薬剤師用携帯端未機６０Ｂ、複数の看護師が携帯して施用用コンピュータ２にデータ送受信可能に接続される複数の看護師用携帯端未機６０Ｃ等を備えている。
【００５０】
先ず、施用用コンピュータ２について説明する。
図３に示すように、施用用コンピュータ２は、コンピュータ本体３と、このコンピュータ本体３に電気的に接続された、キーボードやマウス等からなる入力装置４、ディスプレイ５、プリンタ６、患者マスタファイル７、薬剤マスタファイル８、ガン化学療法マスタファイル９、実施ガン化学療法情報ファイル１０、薬剤調製手順マスタファイル１１、薬剤調製手順情報ファイル１２、薬剤施用情報ファイル１３、服薬指導マスタファイル１４、回診情報ファイル１５、施用予約情報ファイル１６を有し、コンピュータ本体３に、通信ネットワーク（ＬＡＮ）を介してデータ送受信可能に、受付けコンピュータ２０、調剤コンピュータ３０、複数のベッドコンピュータ５０、複数の医師用携帯端未機６０Ａ、複数の薬剤師用携帯端未機６０Ｂ、複数の看護師用携帯端未機６０Ｃが接続される。
【００５１】
患者マスタファイル７には、複数のガン患者を含む患者の患者情報が記憶されており、図４に示すように、各患者情報には、患者ＩＤ、登録日、区分、氏名、住所、電話番号、性別、生年月日、年齢、身長、体重、病名、等の情報が含まれている。薬剤マスタファイル８には、複数種の抗ガン剤を含む薬剤の薬剤マスタ情報が記憶されており、図５に示すように、各薬剤マスタ情報には、薬品コード、薬品名、略称、規格量、薬品区分、保存区分、マスタ係数・・・、等の情報が含まれている。
【００５２】
図６、図７に示すように、ガン化学療法マスタファイル９には、複数種のガンを治療する為の複数種のガン化学療法について、夫々、施用する抗ガン剤の名称、抗ガン剤の施用間隔と、各回の抗ガン剤の施用基準量となるマスタ係数の情報が記憶されている。そして、実施ガン化学療法作成手段３ｉにより、患者マスタファイル７の記憶情報とガン化学療法マスタファイル９の記憶情報とに用いて、ガン患者別に、実施に供するガン化学療法の情報が作成される。
【００５３】
図８に示すように、実施ガン化学療法情報ファイル１０には、実施ガン化学療法作成手段３ｉで作成された複数のガン化学療法の情報（ガン化学療法情報１、２、３・・・）が記憶され、図９に示すように、各ガン化学療法の情報には、患者ＩＤ、登録日、区分、氏名、性別、生年月日、年齢、身長、体重、体表面積、診療科、医師、ＣＣＲ、病名、ガン化学療法名・・・、抗ガン剤の名称、抗ガン剤の施用日、各回の抗ガン剤の施用量、等の情報が含まれている。
【００５４】
図１０に示すように、薬剤調製手順マスタファイル１１には、複数種の薬剤を調製して支給容器に収容する調製基本手順であって、固形薬剤の有無、液状薬剤の有無、溶解剤の有無、希釈液の有無、支給容器の種類、のうちの一部又は全部をパラメータとする調製基本手順の情報を、複数通り予め設定されて記憶されている。そして、薬剤調製手順作成手段３ｊにより、各ガン患者に処方された処方情報と、この処方情報のうち施用対象の薬剤について薬剤マスタファイル８から読出す情報と、薬剤調製手順マスタファイル１１に記憶した情報とに基づいて、ガン患者に施用する複数種の薬剤を調製する複数ステップからなる薬剤調製手順の情報が自動的に作成される。
【００５５】
薬剤調製手順情報ファイル１２には、薬剤調製手順作成手段３ｊで作成された複数の薬剤調製手順の情報が記憶されている。各薬剤調製手順の情報は、例えば、その調製手順で調製された薬剤を施用するガン患者の患者ＩＤと施用予定日の情報を付随させて識別可能に薬剤調製手順情報ファイル１２に記憶されている。尚、各薬剤調製手順の情報を、その調製手順で調製された薬剤を施用するガン患者に対して実施ガン化学療法作成手段３ｉで作成されたガン化学療法の情報に含めて、実施ガン化学療法情報ファイル１０に記憶させてもよい。この場合、薬剤調製手順情報ファイル１２は省略可能となる。
【００５６】
薬剤施用情報ファイル１３には、主に、調製済みの抗ガン剤をガン患者に施用する際の、注意事項、施用手順、点滴速度等に関する薬剤施用情報が記憶されている。この薬剤施用情報については、抗ガン剤を調製する薬剤調製手順の情報を作成するときに、所定の薬剤施用マスタファイルに記憶した情報を用いて、各調製済み抗ガン剤毎に作成するようにしてもよい。
【００５７】
服薬指導マスタファイル１４には、複数種の抗ガン剤を含む薬剤の各々について、患者に服用（施用）する場合の服薬指導の情報が記憶されている。
回診情報ファイル１５には、主に、各入院患者に対する回診情報、例えば、回診時間、回診事項等の情報が記憶されており、また、これらの情報に対応付けて、入力された回診結果の情報を記憶させてもよい。
【００５８】
施用予約情報ファイル１６（施用予約情報記憶手段に相当する）には、複数のガン患者に夫々抗ガン剤を施用する施用予定日情報を含む施用予約情報が格納されている。例えば、図１１に示すように、施用予約情報ファイル１６には、施用予定日別に複数の施用予約情報（2003.6.1、2003.6.2、2003.6.3・・・）が記憶されており、各施用予定日の施用予約情報として、患者特定情報（患者ＩＤや患者氏名）に対応付けて施用開始時刻と施用間時間（又は施用終了時刻）と施用ベッド（番号）の情報が複数組記憶可能である。
【００５９】
例えば、図１２に示すように、2003.6.1の施用予約情報には、施用ベッドａについて、患者Ａが9:00〜12:00 の３時間の使用、患者Ｂが13:00 〜15:00 の２時間の使用、患者Ｃが16:00 〜18:00 の２時間の使用、施用ベッドｂについて、患者Ｄが9:00〜9:30の30分間の使用・・・、施用ベッドｃについて、患者Ｇが9:30〜12:00 の２時間30分の使用・・・、という予約情報が含まれている。
【００６０】
図３に示すように、施用用コンピュータ２のコンピュータ本体３には、データ入力処理手段３ａ、データ書込み処理手段３ｂ、データ読込み処理手段３ｃ、データ通信処理手段３ｄ、施用予約手段３ｅ、外来チェック手段３ｆ、受付ディスプレイ制御指示手段３ｇ、ベッドディスプレイ制御指示手段３ｈ、実施ガン化学療法作成手段３ｉ、薬剤調製手順作成手段３ｊ、施用チェック手段３ｋが設けられている。前記各手段３ａ〜３ｋは、コンピュータ本体３の記憶部に格納されたプログラムとデータ処理部等で構成されている。
【００６１】
施用予約手段３ｅは、複数のガン患者に夫々抗ガン剤を施用する施用予定日時と施用予定ベッドを予約する為のものであり、この施用予約手段３ｅにより予約された施用予約情報が施用予約情報ファイル１６に記憶される。
【００６２】
外来チェック手段３ｆは、ガン患者が施用に来た際の受け付け登録と施用予約情報ファイル１６の記憶情報に基づいて、前記ガン患者を特定すると共に予約した施用予定日時と施用予定ベッドをチェックする。ガン患者が施用に来た際の受け付け登録については、［受付］に設置した電子的受け付け手段に相当する受付けコンピュータ２０及びカードリーダ２１により行われる。
【００６３】
受付ディスプレイ制御指示手段３ｇは、ガン患者の受け付け登録が行われた際に、外来チェック手段３ｆによりガン患者の外来が確認された場合、そのガン患者に、抗ガンを施用する施用予定日時と施用予定ベッドを、［受付］に設置したディスプレイ２２に表示出力させるように、受付けコンピュータ２０に対して制御指示を行う。尚、受付ディスプレイ制御指示手段３ｇと受付けコンピュータ２０とディスプレイ２２等が、施用ベッド指示手段に相当する。尚、外来チェック手段３ｆによりガン患者の外来が確認された場合、そのガン患者に、抗ガンを施用する施用予定日時と施用予定ベッドを、［受付］に設置したプリンタ２３に印字出力させるように、受付けコンピュータ２０に対して制御指示を行ってもよい。この場合、プリンタ２３が施用ベッド指示手段に含まれるものになる。
【００６４】
ベッドディスプレイ制御指示手段３ｈは、外来チェック手段３ｆによりガン患者がその施用予定日に外来したことが確認された場合に、そのガン患者に対して施用する抗ガンを含む薬剤を調製する作業許可を、［調剤部］に設置したディスプレイ３１に表示させて［調剤部］に通知するように、調剤コンピュータ３０に対して制御指示を行う。尚、ベッドディスプレイ制御指示手段３ｈと調剤コンピュータ３０とディスプレイ３１等が、通知手段に相当する。
【００６５】
また、外来チェック手段３ｆによりガン患者がその施用予定日に外来したことが確認された場合に、そのガン患者に対して施用する抗ガンを含む薬剤を調製する作業許可を、薬剤師（特に、抗ガン剤の調製作業を行う薬剤師）が携帯している薬剤師用携帯端未機６０Ｂの表示部６４に表示させて通知するように、薬剤師用携帯端未機６０Ｂに対して制御指示を行ってもよい。この場合、薬剤師用携帯端未機６０Ｂが通知手段に含まれるものになる。
【００６６】
施用チェック手段３ｋは、各ベッドコンピュータ５０に接続された読取り装置であるバーコードリーダ５３、或いは、看護師が携帯している看護師用携帯端未機６０Ｃに設けた読取り装置であるバーコードリーダ６１により読取られた、ガン患者が携帯しているリストバンドのバーコード（患者特定手段）に記録された患者データ（患者情報）と、そのガン患者に対して施用予定の調製済み抗ガン剤の容器に貼付けて設けたラベルのバーコード（抗ガン剤特定手段）に記録された抗ガン剤データ（抗ガン剤情報）を用いて、ガン患者に対して施用する調製済み抗ガン剤が施用予定の抗ガン剤であるか否かチェックする。
【００６７】
次に、各ベッドコンピュータ５０について説明する。
図１３に示すように、各ベッドコンピュータ５０は、コンピュータ本体５１と、このコンピュータ本体５１に電気的に接続された、ディスプレイ５２、バーコードリーダ５３、ディスプレイ５２の表面に設けられたタッチパネル５４を有し、コンピュータ本体５１に、通信ネットワーク（ＬＡＮ）を介してデータ送受信可能に、施用用コンピュータ２が接続される。各ベッドコンピュータ５０のコンピュータ本体５１には、データ入力処理手段５１ａ、データ書込み処理手段５１ｂ、データ読込み処理手段５１ｃ、データ通信処理手段５１ｄが設けられ、これら各手段５１ａ〜５１ｄは、コンピュータ本体５１の記憶部に格納されたプログラムとデータ処理部等で構成されている。
【００６８】
次に、携帯端未機６０について説明する。この携帯端未機６０は、医師用，薬剤師用，看護師用の携帯端未機６０Ａ，６０Ｂ，６０Ｃに適用されている。
図１４、図１５に示すように、携帯端未機６０には、バーコードリーダ６１、情報処理部６２、情報記憶部６３、表示部６４、入力操作部６５、通信用ＩＦ６６が設けられ、これらはバス等で接続されている。
【００６９】
バーコードリーダ６１は、ガン患者のリストバンドのバーコード、調製済み抗ガン剤の容器に貼付けたラベルのバーコード、看護師の看護師証のバーコード等を読取る為に設けられている。情報処理部６２は、ＣＰＵとＲＯＭとＲＡＭを有するマイクロコンピュータで構成され、情報記憶部６３は、施用用コンピュータ２から受信した情報等を記憶する為に設けられている。表示部６４は、液晶ディスプレイからなり、入力操作部６５は、表示部６４に表示された情報を選択したり実行する為の複数の操作部を有し、その操作部として、カーソルキー、確定キー等が設けられている。通信用ＩＦ６６により、施用用コンピュータ２との間でデータの送受信を可能にしている。
【００７０】
次に、この抗ガン剤施用支援システム１を設置した病院において、外来ガン患者、医師、薬剤師、看護師（施用作業者）が行う基本的な行動・作業について、図１６〜図２１のフローチャートに基づいて簡単に説明する。
【００７１】
図１６に示すように、外来のガン患者は、来院し（ＯＰ１）受診して（ＯＰ２）、抗ガン剤の施用予定の確認を行い、本日抗ガン剤の施用を予定している場合には（ＯＰ３；Yes ）、［受付］において、カードリーダ２１に診察券を差し込む（ＯＰ４）。すると、［受付］のディスプレイ２２に、抗ガン剤の施用予定日時と施用予定ベッド（番号）が表示されるので、それを確認し（ＯＰ５）、指示された時刻に指示された施用ベッド４０で待機する（ＯＰ６）。その後、抗ガン剤を施用してもらい（ＯＰ７）、施用完了すれば終了する。
【００７２】
ＯＰ５においては、施用予定書をプリンタ２３でプリントし、その施用予定書に書かれた抗ガン剤の施用予定日時と施用予定ベッド（番号）をガン患者が確認するようにしてもよい。また、明日以降の抗ガン剤の施用予定がある場合には、その予約情報（明日以降の施用予定日時と施用予定ベッド（番号））を記した施用予定書をプリントしてガン患者に提供するようにしてもよい。
【００７３】
図１７に示すように、医師は、ガン患者を診察し（Ｄ１）、ガン化学療法を実施する患者の場合（Ｄ２；Yes ）、そのガン患者の実施ガン化学療法プロトコル表やカルテを見て抗ガン剤の施用予定の確認を行い（Ｄ３）、必要な場合は抗ガン剤の施用予約を行う（Ｄ４）。最終的な施用予約は、施用用コンピュータ２、或いは、医師用携帯端未機６０Ａを用いて行う。次に、ガン患者に対して本日抗ガン剤の施用が有る場合（Ｄ５）、その旨を通知し（Ｄ６）、リターンする。
【００７４】
図１８に示すように、調製担当の薬剤師は、［薬剤部］に設置したディスプレイ３１、或いは、薬剤師用携帯端未機６０Ｂの表示部６４を見て、調製作業許可の通知が有る場合（Ｐ１；Yes ）、許可されたガン患者に施用する抗ガン剤を含む薬剤の調製（重量測定、容量測定、溶解、希釈、混合、等々）を行い（Ｐ２）、その調製済み抗ガン剤の容器にバーコードが印されたラベルを貼付け（Ｐ３）、所定の保管場所に保管し（Ｐ４）、リターンする。
【００７５】
図１９に示すように、看護師は、例えば、看護師用携帯端未機６０Ｃに表示された本日の施用予約状況を確認してから、担当するガン患者の施用ベッド４０へ調製済み薬剤を予定時刻に持ち運び（Ｎ１）、ベッドコンピュータ５０に接続されたバーコードリーダ５３、或いは、看護師用携帯端未機６０Ｃのバーコードリーダ６１を用いて、ガン患者のリストバンドのバーコード、薬剤容器に張付けたラベルのバーコード、看護師の看護師証のバーコードを読取る（Ｎ２）。すると、施用用コンピュータ２により施用チェックが行われた後、ベッドコンピュータ５０に接続されたディスプレイ５２、或いは、看護師用携帯端未機６０Ｃの表示部６４に施用チェック結果が表示されるため、その表示を見て、施用チェックＮＧの場合（Ｎ３；No）、その施用チェックエラーの対処を行う（Ｎ４）。
【００７６】
施用チェックＯＫの場合（Ｎ３；Yes ）、ディスプレイ５２或いは表示部６４に表示された施用手順等を確認し（Ｎ５）、ガン患者に対して抗ガン剤の施用を開始する（Ｎ６）。施用が終了すると（Ｎ７）、ディスプレイ５２のタッチパネル４４、或いは、携帯端未機６０Ｃの入力操作部６５を操作し、画面の指示に従って、抗ガン剤施用時におけるガン患者の様態等を記録（入力）し、終了する。
【００７７】
抗ガン剤施用支援システム１の、主に施用用コンピュータ２が行う一連の処理は、図２０に示す通りであり、施用予約処理（Ｓ１）、外来チェック処理（Ｓ２）、施用日時・ベッド指示処理（Ｓ３）、調製作業許可通知処理（Ｓ４）、施用チェック処理（Ｓ５）、患者様態記録処理（Ｓ６）が行われる。
次に、前記各処理について詳細に説明する。
【００７８】
施用予約処理・・・図２１参照
入力装置４により予約開始操作が行われると（Ｓ１０；Yes ）、ディスプレイ５に予約画面が表示される（Ｓ１１）。次に、患者ＩＤ又は患者名が入力されると（Ｓ１２）、そのガン患者のガン化学療法の情報が実施ガン化学療法情報ファイル１０から読出され（Ｓ１３）、その情報に基づいて、ディスプレイ５に図２２の実施ガン化学療法プロトコル表が表示される（Ｓ１４）。
【００７９】
図２２の実施ガン化学療法プロトコル表には、患者ＩＤ、患者名、年齢、病棟、病室等と共に、施用する抗ガン剤の名称（例えば、100mg タキソール 16.7mL/瓶）、各抗ガン剤の各回の施用量（例えば、100mg タキソール 16.7mL/瓶について、121.76mg）、各抗ガン剤の施用タイムスケジュールの一部又は全部（例えば、100mg タキソール 16.7mL/瓶について、2003.3.15(投与開始日) 、3.22、3.29、4.4 、4.12・・・）等の情報が表示される。
【００８０】
次に、予約日（例えば、2003.3.2）が指定されると（Ｓ１５）、その指定日の施用予約情報が施用予約情報ファイル１６から読出され（Ｓ１６）、その施用予約情報に基づいて、指定日の予約状況が図１２のような形態で表示される（Ｓ１７）。次に、施用開始時刻が指定され（Ｓ１８）、施用ベッド（番号）が指定されると（Ｓ１９）、予約可能か否か判断される（Ｓ２０）。
【００８１】
ここで、施用開始時刻の指定と共に、施用間時間も指定されるが、この施用間時間については、このガン患者のガン化学療法の情報の、施用する抗ガン剤の名称）、抗ガン剤の施用量等に関する情報に基づいて、自動的に算出されるようにしてある。さて、Ｓ２０においては、指定した施用開始時刻及び施用間時間と施用ベッドが他の予約と重ならない場合、予約可能と判断されて（Ｓ２０；Yes ）、指定した施用日時と施用ベッドが予約され（Ｓ２１）、その予約情報が施用予約情報ファイル１６に書き込まれ（Ｓ２２）、リターンする。
【００８２】
尚、Ｓ１８の施用開始時刻の指定とＳ１９の施用ベッド（番号）の指定については、予約状況に基づいて変更可能に自動的に行われるようにしてもよい。尚、この施用予約処理を医師用携帯端未機６０Ａを用いて行えるようにしてもよい。
外来チェック処理・・・図２３参照
［受付］においてガン患者の診察券がカードリーダ２１に差し込まれ、受付けコンピュータ２０から、情報送信要求が受信されると（Ｓ３０；Yes ）、カードリーダ２１で読取られた診察券の情報が受信され（Ｓ３１）、その情報に基づいて、受け付け登録を行ったガン患者が特定される（Ｓ３２）。次に、特定されたガン患者の患者ＩＤに対応付けて予約した施用予定日時と施用予定ベッドを含む予約情報が、施用予約情報ファイル１６から読出され（Ｓ３４）、施用予定日時・ベッドがチェックされ（Ｓ３５）、リターンする。
【００８３】
施用日時・ベッド指示処理・・・図２４参照
外来チェック処理により特定されたガン患者の予約が有る場合（Ｓ４０；Yes ）、そのガン患者の予約された施用予定日時と施用予定ベッド（番号）の情報（Ｓ３４において読出された予約情報が適用される）が受付けコンピュータ２０に送信されて（Ｓ４１）、受付けコンピュータ２０に対して予約情報を表示させるように指示し（Ｓ４２）、リターンする。
【００８４】
受付けコンピュータ２０は、予約情報表示の指示を受けてディスプレイ２２を制御し、ディスプレイ２２に、施用予定日時と施用予定ベッド（例えば、「施用ルームの○番のベッドに○時○分に来て下さい」等）を表示させる。Ｓ４０において予約が無い場合、受付けコンピュータ２０に対して予約が無い旨（例えば、「現在予約はありません」等）を表示させるように指示する（Ｓ４３）。
【００８５】
調製作業許可通知処理・・・図示略
この調製作業許可通知処理では、外来チェック処理により、本日抗ガン剤を施用予定のガン患者の外来が確認された場合、調剤コンピュータ３０に対して、調製作業許可通知を指示し、調剤コンピュータ３０は、その指示を受けてディスプレイ２２を制御し、或いは、看護師用携帯端未機６０Ｂに対して、調製作業許可通知を指示し、看護師用携帯端未機６０Ｂは、その指示を受けて表示部６４を制御し、ディスプレイ２２或いは表示部６４に調製作業を許可する旨（例えば、「○○○○さんに施用する抗ガン剤の調製作業を許可する」等）を表示させる。
【００８６】
施用チェック処理・・・図２５参照
ベッドコンピュータ５０に接続されたバーコードリーダ５３、或いは、看護師用携帯端未機６０Ｃのバーコードリーダ６１により、ガン患者のリストバンドのバーコード、薬剤容器に張付けたラベルのバーコードが読込まれ、ベッドコンピュータ５０或いは看護師用携帯端未機６０Ｃから、施用チェック要求が受信されると（Ｓ５０）、患者バーコードデータが受信され（Ｓ５２）、抗ガン剤バーコードデータが受信される（Ｓ５３）。抗ガン剤バーコードデータは、その抗ガン剤を施用するガン患者に対応付けたコードデータに作成されており、次に、例えば、これらのコードデータに対応が有るか否か判断され（Ｓ５３）。
【００８７】
コードデータに対応が有る場合（Ｓ５３；Yes ）、バーコードデータを受信したベッドコンピュータ５０或いは看護師用携帯端未機６０Ｃに対して、施用チェックＯＫを表示させるように指示し（Ｓ５４）、コードデータの対応が無い場合（Ｓ５３；No）、ベッドコンピュータ５０或いは看護師用携帯端未機６０Ｃに対して、施用チェックＮＧを表示させるように指示する（Ｓ５５）。即ち、ベッドコンピュータ５０は施用用コンピュータ２の指示に基づいてディスプレイ５２を制御し、或いは、看護師用携帯端未機６０Ｃは施用用コンピュータ２の指示に基づいて表示部６４を制御し、ディスプレイ５２或いは表示部６４に施用チェックＯＫ又は施用チェックＮＧの旨を表示させる。
【００８８】
ここで、携帯端未機６０に表示される表示例等について詳細に説明する。
前述のように、看護師用携帯端未機６０Ｃは、施用用コンピュータ２から受信した、所定のガン患者及び／又はそのガン患者に施用予定の抗ガン剤に関する情報を表示部６４に表示させるようにしてある。ガン患者に関する情報は、患者ＩＤ、氏名、性別、年齢、病名等の情報であり、そのガン患者に施用予定の抗ガン剤に関する情報は、実施に供するガン化学療法（処方情報を含む）の情報、服薬指導の情報等である。
【００８９】
例えば、看護師用携帯端未機６０Ｃの入力操作部６５を操作して、或いは、バーコードリーダ６１でガン患者のリストバンドのバーコードを読取って、看護師用携帯端未機６０Ｃにガン患者のＩＤや氏名を入力し、施用用コンピュータ２に対して患者情報送信要求を行うことで、施用用コンピュータ２において、そのガン患者に対して作成されたガン化学療法の情報が実施ガン化学療法情報ファイル１０から読出され、この情報が患者情報送信要求を行った看護師用携帯端未機６０Ｃに送信され、図１４に示すように、看護師用携帯端未機６０Ｃの表示部６４に、患者ＩＤ、患者名、性別、診療科、病名、療法名の情報が表示される。
【００９０】
ここで、表示部６４には「処方内容」が表示され、この「処方内容」を入力操作部６５を操作して指示することにより、そのガン患者に対して作成されたガン化学療法の情報のうち、ガン患者への最新の処方情報（例えば、本日の処方情報）として、図２６に示すように、看護師用携帯端未機６０Ｃの表示部６４に、患者ＩＤ、患者名、日付、施用する抗ガン剤（オンコビン１mg/V、水溶性ブレドニン20mg/V）、抗ガン剤の施用量（オンコビン１mg/V；0.4mg 、水溶性ブレドニン20mg/V;40mg ）、投与方法の情報が表示される。尚、ガン化学療法の情報には、投与方法に関する情報も含まれているものとする。
【００９１】
ここで、表示部６４には「服薬指導」が表示され、この「服薬指導」を入力操作部６５を操作して指示して、施用用コンピュータ２に対して服薬指導情報送信要求を行うことにより、施用用コンピュータ２において、処方された薬剤の服薬指導の情報が服薬指導マスタファイル１４から読出され、この情報が服薬指導情報送信要求を行った看護師用携帯端未機６０Ｃに送信され、看護師用携帯端未機６０Ｃの表示部６４に、処方薬（オンコビン、水溶性ブレドニン）の服薬指導の情報が表示される。
【００９２】
また、看護師用携帯端未機６０Ｃにガン患者のＩＤや氏名を入力し、施用用コンピュータ２に対してガン化学療法情報送信要求を行うことにより、施用用コンピュータ２において、そのガン患者に対して作成されたガン化学療法の情報が実施ガン化学療法情報ファイル１０から読出され、この情報がガン化学療法情報送信要求を行った看護師用携帯端未機６０Ｃに送信され、図２７に示すように、看護師用携帯端未機６０Ｃの表示部６４に、患者名、療法名、抗ガン剤の施用日の情報が表示される。
【００９３】
一方、薬剤師用携帯端未機６０Ｂは、施用用コンピュータ２から受信した、所定のガン患者に施用予定の抗ガン剤を含む複数種の薬剤を調製する薬剤調製手順に関する情報を表示部６４に表示させるようにしてある。
【００９４】
例えば、［受付］において、ガン患者が診察券をカードリーダ２１に差し込んだ場合に、図２８に示すように、薬剤師用携帯端未機６０Ｂの表示部６４に、「○○○○さんに施用する抗ガン剤の調製作業を許可します」等の作業許可が表示されるようにした場合、入力操作部６５を操作して、この表示部６４に表示された「処方内容」を指示することにより、図２９に示すように、薬剤用携帯端未機６０Ｂの表示部６４に、患者ＩＤ、患者名、日付、施用する抗ガン剤、抗ガン剤の施用量、投与方法の情報が表示される。
【００９５】
ここで、表示部６４には「調製手順」が表示され、この「調製手順」を入力操作部６５を操作して指示して、施用用コンピュータ２に対して調製手順情報送信要求を行うことにより、施用用コンピュータ２において、この処方薬を調製する薬剤調製手順の情報が薬剤調製手順情報ファイル１２から読出され、この情報が調製手順情報送信要求を行った薬剤師用携帯端未機６０Ｂに送信され、薬剤師用携帯端未機６０Ｂの表示部６４に、処方薬（オンコビン、水溶性ブレドニン）の服薬指導の情報が表示される。尚、薬剤調製手順情報ファイル１２に記憶された薬剤調製手順の情報は薬剤調製手順作成手段３ｊで作成されたものである。
【００９６】
薬剤師用携帯端未機６０Ｂの表示部６４に薬剤調製手順の情報を表示させる場合、例えば、図３０〜図３２に示すように、薬剤調製手順を１ステップずつ表示部６４に表示させ、入力操作部６５を操作して、これらの画面を切り換えて表示できるようにする。尚、抗ガン剤の調製作業を終了した場合、入力操作部６５を操作して、作業終了情報を施用用コンピュータ２に送信することで、施用用コンピュータ２において、その抗ガン剤の調製作業の終了記録を行ってもよい。
【００９７】
以上説明した抗ガン剤施用支援システム１の作用・効果について説明する。
施用予約情報ファイル１６と外来チェック手段３ｆと施用ベッド指示手段（受付ディスプレイ制御指示手段３ｇ、受付けコンピュータ２０、ディスプレイ２２等）を設けたので、ガン患者が施用に来た際に受け付け登録を行うことにより、自動的に、そのガン患者を特定すると共に予約した施用予定日をチェックし、そのガン患者に抗ガン剤を施用する施用ベッド４０を指示できるため、ガン患者は指示された施用ベッド４０で待機し、病院側は、前記ガン患者の外来を確認し、そのガン患者に指示した施用ベッド４０を知ることができるため、その施用ベッド４０を使用するガン患者に予定の抗ガン剤を確実に持ち運んで施用することができる。
【００９８】
施用ベッド指示手段（受付ディスプレイ制御指示手段３ｇ、受付けコンピュータ２０、ディスプレイ２２）は、外来チェック手段３ｆにより外来が確認されたガン患者に抗ガン剤を施用する施用予定日時を指示するので、ガン患者は指示された施用ベッド４０で指示された施用予定日時に待機し、病院側は、前記ガン患者に指示した施用ベッド４０と施用予定日時を知ることができるため、その施用ベッド４０のガン患者に予定の抗ガン剤を予定時刻に確実に持ち運んで施用できる。
【００９９】
つまり、各ガン患者に抗ガン剤を施用する場合、そのガン患者が使用する施用ベッド４０の確保、施用ベッド４０へのガン患者の案内等、病院側の業務を省略（簡略）することができ、しかも、複数の施用ベッド４０を能率よく運用することができ、各ガン患者に予定の抗ガン剤を間違いなく確実に持ち運んで施用することができるため、病院側の作業負荷を大幅に軽減でき、ガン患者にとっても、施用ベッド４０が空くまで長く待たされる虞もなくなり負担を軽減できる。
【０１００】
外来チェック手段３ｆによりガン患者がその施用日に外来したことが確認された場合に、そのガン患者に対して施用する抗ガン剤を含む薬剤を調製する作業許可を調剤担当部署に自動的に通知する通知手段（ベッドディスプレイ制御指示手段３ｈ、調剤コンピュータ３０、ディスプレイ３１等）を設けたので、この通知後、迅速に、前記ガン患者に施用する抗ガン剤を含む薬剤の調製を行って準備して、その抗ガン剤を予定時間通りガン患者に施用することができ、また、今回の抗ガン剤の施用を中止したり、抗ガン剤の施用量を変更したり、別途併用剤（機能抑制剤等）を施用する等の予定変更が生じた場合でも、調製済み抗ガン剤が無駄になったり、調製済み抗ガン剤を長期間保管すること等を極力防止できるように対処することが可能になる。
【０１０１】
施用用コンピュータ２と電子的受付け手段（受付けコンピュータ２０、カードリーダ２１）と複数の施用ベッド４０と複数のディスプレイ５２とを設けたので、自動的に、受け付け登録されたガン患者を特定し、そのガン患者に施用する抗ガン剤の情報や、抗ガン剤を施用する施用予定日をチェックすることができ、ディスプレイ５２にガン患者や看護師に対して抗ガン剤の施用に関する情報を表示させて提供することができる。従って、複数の施用ベッド４０を能率よく使用（運用）することができ、病院側の作業負荷を大幅に軽減し、また、ガン患者の負担も大幅に軽減することが可能になる。
【０１０２】
電子的受付け手段（受付けコンピュータ２０、カードリーダ２１）の付近に受付出力手段であるディスプレイ２２を設け、施用用コンピュータ２は、ガン患者の受け付け登録が行われた際に、そのガン患者に抗ガン剤を施用する施用ベッド４０を指示する情報をディスプレイ２２に出力させるので、ガン患者は指示された施用ベッド４０で待機し、病院側は、前記ガン患者の外来を確認し、そのガン患者に指示した施用ベッド４０を知ることができるため、その施用ベッド４０のガン患者に予定の抗ガン剤を確実に持ち運んで施用することができる。
【０１０３】
カードリーダ２１又は６１により、ガン患者が携帯しているリストバンドに記録された患者データと、そのガン患者に対して施用予定の調製済み抗ガン剤の容器に貼付けて設けたラベルに記録された抗ガン剤データとを読取り、これらのデータを用いて、施用用コンピュータ２の施用チェック手段３ｋにより、前記ガン患者に対して施用する調製済み抗ガン剤が正しいか否か簡単・確実にチェックし、ガン患者に予定の抗ガン剤を間違いなく確実に施用することができる。
【０１０４】
カードリーダ２１又は６１により、抗ガン剤の施用作業を行う看護師が携帯している看護師証に記録された看護師データを読取り、施用用コンピュータ２により、その看護師データを前記抗ガン剤の施用に関する情報に対応付けて記録するので、施用作業者のチェックが可能になる。
【０１０５】
看護師が携帯して施用用コンピュータ２にデータ送受信可能に接続される表示部６４を有する看護師用携帯端末機６０Ｃを設け、この看護師用携帯端末機６０Ｃは、施用用コンピュータ２から受信した、所定のガン患者及び／又はそのガン患者に施用予定の抗ガン剤に関する情報を表示手段に表示させるので、看護師は所定のガン患者及び／又はそのガン患者に施用予定の抗ガン剤に関する情報を場所を問わず容易に入手して参照することができ、これらの情報に基づいて、適切なガン患者への対応、ガン患者に抗ガン剤を施用する作業等が可能になる。
【０１０６】
薬剤師が携帯して施用用コンピュータ２にデータ送受信可能に接続される表示部６４を有する薬剤師用携帯端末機６０Ｂを設け、この薬剤師用携帯端末機６０Ｂは、施用用コンピュータ２から受信した、所定のガン患者に施用予定の抗ガン剤を含む複数種の薬剤を調製する薬剤調製手順に関する情報を表示部６４に表示させるので、薬剤師は所定の薬剤調製手順に関する情報を場所を問わず容易に入手して参照することができ、これらの情報に基づいて、適切な薬剤調製手順で抗ガン剤を含む複数種の薬剤を調製することができる。
【０１０７】
次に、前記実施形態を部分的に変更した変更形態について説明する。
１］施用用コンピュータ２にデータ送受信可能に接続された外部のホストコンピュータを設け、このホストコンピュータに、実施ガン化学療法情報ファイル１０、施用予約情報ファイル１６等を電気的に接続して設け、ホストコンピュータから、実施ガン化学療法情報ファイル１０、施用予約情報ファイル１６の記憶情報である、抗ガン剤施用情報や施用予定日情報等を受信して使用してもよい。
【０１０８】
２］ガン患者が施用に来た際の受け付け登録については、前記実施形態では、ガン患者が診察後に診察券をカードリーダに差し込むことにより行っているが、ガン患者が外来時診察前に通常行う診察受け付け登録と同様にしてもよい。
３］ガン患者が携帯している患者情報を記憶する患者特定手段、調製済み抗ガン剤の容器に設けた抗ガン剤情報を記憶した抗ガン剤特定手段、施用作業者が携帯している施用作業者情報を記憶した作業者特定手段として、発電、メモリ、計算機能を有するＩＣチップを内蔵のＩＣカードとしてもよく、この場合、読取り装置としてＩＣカードリーダを設けてもよい。
【０１０９】
４］その他、本発明の趣旨を逸脱いない範囲において種々の変更を付加して実施することが可能である。
【図面の簡単な説明】
【０１１０】
【図１】本発明の実施形態に係る抗ガン剤施用システムの要部の構成図である。
【図２】抗ガン剤施用システムの要部の構成図である
【図３】施用用コンピュータの構成図である。
【図４】患者情報の内容を示す図である。
【図５】薬剤マスタ情報の内容を示す図である。
【図６】ガン化学療法マスタファイルのデータ内容を示す図である。
【図７】ガン化学療法マスタファイルのデータ内容を示す図である。
【図８】実施ガン化学療法情報ファイルのデータ内容を示す図である。
【図９】ガン化学療法の情報の内容を示す図である。
【図１０】薬剤調製手順マスタファイルのデータ内容を示す図である。
【図１１】施用予約情報ファイルのデータ内容を示す図である。
【図１２】日付別の施用予約情報の内容を示す図である。
【図１３】ベッドコンピュータの構成図である。
【図１４】携帯端未機の正面図である。
【図１５】携帯端未機の構成図である。
【図１６】外来患者の行動・作業を示すフローチャートである。
【図１７】医師の行動・作業のフローチャートである。
【図１８】薬剤師の行動・作業のフローチャートである。
【図１９】看護師の行動・作業のフローチャートである。
【図２０】施用用コンピュータが行う一連の処理を含むフローチャートである。
【図２１】施用予約処理のフローチャートである。
【図２２】ガン化学療法プロトコル表である。
【図２３】外来チェック処理のフローチャートである。
【図２４】施用日時・ベッド指示処理のフローチャートである。
【図２５】施用チェック処理のフローチャートである。
【図２６】患者情報が表示された携帯端未機の正面図である。
【図２７】処方内容が表示された携帯端未機の正面図である。
【図２８】調製作業許可が表示された携帯端未機の正面図である。
【図２９】処方内容が表示された携帯端未機の正面図である。
【図３０】調製手順（ステップ１）が表示された携帯端未機の正面図である。
【図３１】調製手順（ステップ１）が表示された携帯端未機の正面図である。
【図３２】調製手順（ステップ１）が表示された携帯端未機の正面図である。
【符号の説明】
【０１１１】
１            抗ガン剤施用支援システム
２            施用用コンピュータ
３ｆ          外来チェック手段
３ｋ          施用チェック手段
１６          施用予約情報ファイル
２０          受付けコンピュータ
２１          カードリーダ
２２          ディスプレイ
２３          プリンタ
３０          調剤コンピュータ
４０          施用ベッド
５２          ディスプレイ
５３，６１    バーコードリーダ
５０          ベッドコンピュータ
６０Ａ        医師用携帯端未機
６０Ｂ        薬剤師用携帯端未機
６０Ｃ        看護師用携帯端未機
【図１】
2005032070.tif 000003
【図２】
2005032070.tif 000004
【図３】
2005032070.tif 000005
【図４】
2005032070.tif 000006
【図５】
2005032070.tif 000007
【図６】
2005032070.tif 000008
【図７】
2005032070.tif 000009
【図８】
2005032070.tif 000010
【図９】
2005032070.tif 000011
【図１０】
2005032070.tif 000012
【図１１】
2005032070.tif 000013
【図１２】
2005032070.tif 000014
【図１３】
2005032070.tif 000015
【図１４】
2005032070.tif 000016
【図１５】
2005032070.tif 000017
【図１６】
2005032070.tif 000018
【図１７】
2005032070.tif 000019
【図１８】
2005032070.tif 000020
【図１９】
2005032070.tif 000021
【図２０】
2005032070.tif 000022
【図２１】
2005032070.tif 000023
【図２２】
2005032070.tif 000024
【図２３】
2005032070.tif 000025
【図２４】
2005032070.tif 000026
【図２５】
2005032070.tif 000027
【図２６】
2005032070.tif 000028
【図２７】
2005032070.tif 000029
【図２８】
2005032070.tif 000030
【図２９】
2005032070.tif 000031
【図３０】
2005032070.tif 000032
【図３１】
2005032070.tif 000033
【図３２】
2005032070.tif 000034